(57)【要約】【課題】  ハロゲンランプのバルブとして、Ｕ字状（またはω字状）耐熱透明管内にその管径中心に沿わせて配置した発光フィラメントをその中間部自体で定位して配設することで、その揺動を防止すると共に、Ｕ字状（またはω字状）の発光フィラメントを満遍なく発光できるハロゲン・サイクル式白熱ランプを安価に多量提供すること。【解決手段】  ハロゲン添加不活性ガスを封入した白熱ランプのバルブとしてＵ字状（またはω字状）の耐熱透明管１を用い、その管径中心に沿わせて発光フィラメント２自体を位置決め線材３で所望間隔毎に定位して配設すると共に、前記フィラメント２の両側リード部２Ａをそれぞれ前記耐熱透明管１の両端ステム導出線１Ａを経て導出し、この導出部を気密封止した。【選択図】図１
0003113159.tif 000002
【実用新案登録請求の範囲】
【請求項１】
ハロゲン添加不活性ガスを封入した白熱ランプのバルブとして、Ｕ字状の耐熱透明管を用い、その管径中心に沿わせて発光フィラメントを位置決め線材で所望間隔毎に定位して配設すると共に、前記フィラメントの両側リード部をそれぞれ前記耐熱透明管の両端ステム導出線を経て導出し、この導出部を気密封止したハロゲン・サイクル式白熱ランプ。
【請求項２】
ハロゲン添加不活性ガスを封入した白熱ランプのバルブとして、ω字状の耐熱透明管を用い、その管径中心に沿わせて発光フィラメントを位置決め線材で所望間隔毎に定位して配設すると共に、前記フィラメントの両側リード部をそれぞれ前記耐熱透明管の両端ステム導出線を経て導出し、この導出部を気密封止したハロゲン・サイクル式白熱ランプ。
【請求項３】
前記耐熱透明管の曲がり部分にハロゲン添加不活性ガスの注入用封止チップを突設してなる請求項１または請求項２に記載のハロゲン・サイクル式白熱ランプ。
【請求項４】
前記発光フィラメントを内装した耐熱透明管を透明な外側管球内に配置すると共に、前記耐熱透明管の両端ステム導出線をそれぞれ前記外側管球に突設したねじ込み口金に接続してなる請求項１から請求項３までのいずれか一つの請求項に記載のハロゲン・サイクル式白熱ランプ。
【請求項５】
前記耐熱透明管の曲がり部分に設けた前記注入用封止チップを前記外側管球内に立設した耐熱スティで不動に支持した請求項４に記載のハロゲン・サイクル式白熱ランプ。
【請求項６】
前記耐熱透明管の両端ステム付近における前記外側管球の弯凹内面を光線反射面とした請求項４および請求項５に記載のハロゲン・サイクル式白熱ランプ。
【請求項７】
前記外側管球に突設したねじ込み口金を漁船に備えた電球用給電ソケットに螺着することで、集魚灯として使用可能にした請求項４から請求項６までのいずれか一つの請求項に記載のハロゲン・サイクル式白熱ランプ。
【請求項８】
前記耐熱透明管の両端部分を補強スティで橋絡してなる請求項１から請求項７までのいずれか一つの請求項に記載のハロゲン・サイクル式白熱ランプ。
【考案の詳細な説明】
【技術分野】
【０００１】
本考案は、Ｕ字状（またはω字状）の耐熱透明管の管径中心に沿わせて発光フィラメント自体を位置決め配設したハロゲン・サイクル式白熱ランプに関する。
【背景技術】
【０００２】
Ｕ字状のランプヒーターとしては、従来例えば下記の特許文献１に記載のように、二本のコイル状発熱フィラメントを非発熱接続導線の両端にスポット溶着接続し、これら接続導線とフィラメントとを撓ませ曲げながらＵ字状のガラス封入管の開放端からその内部に挿通配置した後、前記ガラス封入管内のＵターン個所に上記接続導線を不動に配置すると共に、上記二本のフィラメントの各直線部分の両端をＵ字状のガラス封入管の両端ステム導出線にスポット溶着接続したランプヒーターが周知である。
【特許文献１】特開平７−２２４３８２号公報
【考案の開示】
【考案が解決しようとする課題】
【０００３】
前記特許文献１におけるガラス封入管のＵターン個所内に配置した接続導線部分は前記のように発熱しないし発光もせず、この特許文献１では、上記二本のフィラメントを故意に分けて６００°Ｃ程度に単独発熱させるものだから、加熱手段として利用できても、この特許文献１のランプヒーターをハロゲン・サイクル式白熱ランプに無理に応用した場合には、肝心の上記Ｕターン個所が発光しないので、発光フィラメントがＵ字状に満遍なく発光せず、白熱ランプとして投射光の利用効率が低く、周囲を満遍なく照明できないため、場所よっては、使い物にならないという本質的かつ、大きな問題点が有る。
【０００４】
この考案は、ハロゲンランプのバルブとして、Ｕ字状（またはω字状）耐熱透明管を用い、この透明管内にその管径中心に沿わせて配置したＵ字状（またはω字状）の発光フィラメントの中間部自体を定位して配設することで、発光フィラメントの揺動を防止すると共に、Ｕ字状（またはω字状）の発光フィラメントを満遍なく発光できるハロゲン・サイクル式白熱ランプを安価に多量提供することを目的とする。
【課題を解決するための手段】
【０００５】
上記した本考案の目的は、ハロゲン添加不活性ガスを封入した白熱ランプのバルブとして、Ｕ字状またはω字状の耐熱透明管を用い、その管径中心に沿わせて発光フィラメント自体を位置決め線材で所望間隔毎に定位して配設すると共に、前記フィラメントの両側リード部をそれぞれ前記耐熱透明管の両端ステム導出線を経て導出し、この導出部を気密封止したことで達成できた。
【０００６】
ただし、前記発光フィラメントを内装した耐熱透明管を透明な外側管球内に配置すると共に、前記耐熱透明管の両端ステム導出線ををそれぞれ前記外側管球に突設したねじ込み口金に接続して用いてもよい。
【考案の効果】
【０００７】
この考案における請求項１および請求項２に記載の各考案によれば、Ｕ字状またはω字状に形成した耐熱透明管の管径中心に沿わせて発光フィラメント自体を位置決め線材で所望間隔毎に定位して配設できたので、発光フィラメントの中間部自体の揺動を防止できると共に、Ｕ字状（またはω字状）の発光フィラメントを満遍なく発光できるので、白熱ランプとして投射光の利用効率が高く、四方八方を明るく照明できるハロゲン・サイクル式白熱ランプを安価に多量提供できるし、上記位置決め線材は、その熱伝動を極く小さくできるから、ランプ封入管が過熱しないという優れた効果も有る。
【０００８】
本考案における請求項３の考案によれば、前記諸効果に加え、前記耐熱透明管の曲がり部分にハロゲン添加不活性ガスの注入用封止チップを突設したので、耐熱透明管内にハロゲン添加不活性ガスを封入し易いという効果を付加でき、また請求項４の考案のように、発光フィラメントを内装した耐熱透明管を透明な外側管球内に配置すると共に、前記耐熱透明管の両端ステム導出線をそれぞれ前記外側管球に突設したねじ込み口金に接続すれば、点灯時に高温の耐熱透明管から手指などを保護できるという効果を付加できた。
【０００９】
また、請求項５の考案のように、前記耐熱透明管の曲がり部分に設けた前記注入用封止チップを前記外側管球内に立設した耐熱スティで不動に支持することで、耐熱透明管を外乱から、より一層保護できると共に、請求項６の考案のように、前記耐熱透明管の両端ステム付近における前記外側管球の弯凹内面を光線反射面とすれば、フィラメントからの投射光をビーム状に収束でき、効率のよい投射光を利用できる。
【００１０】
さらに請求項７の考案のように、前記外側管球に突設したねじ込み口金を漁船に備えた電球用給電ソケットに螺着することで、集魚灯として立派に使用できるという効果を付加でき、請求項７の考案のように、前記耐熱透明管の両端部分を補強スティで橋絡することで、耐熱透明管の外力による折損事故を防止できるという効果を付加できた。
【考案を実施するための最良の形態】
【００１１】
次に、本考案を実施するための最良の形態例を説明すると、ハロゲン添加不活性ガスを封入した白熱ランプのバルブとして、図１のようなＵ字状または同図における一点鎖線で示したようなω字状に形成した石英ガラス管などの耐熱透明管１を用い、その管径中心に沿わせてタングステン細線で作ったコイル状の発光フィラメント２を配設するのであるが、この場合には、前記フィラメント２の揺動し易いコイル部分またはフィラメント２の複数個所を所望間隔毎に図２のような二重固定リング状に形成したニッケル細線などの磁性を有する位置決め線材３により、図１・図２のように部分的に定位して配設する。
【００１２】
次いで、前記フィラメント２の両側における直線状リード部２Ａをそれぞれ図１のように前記耐熱透明管１の両端ステム導出線１Ａを経て導出し、この導出部分を押し潰し溶着などで気密封止した後、前記耐熱透明管１の曲がり部（Ｕターン部）１Ｂに突設した封止チップ１Ｃの開口部から透明管１内の空気を排気した後、耐熱透明管１内にハロゲン添加不活性ガスを注入し、上記封止チップ１Ｃの開口部を加熱封止することで、上記図１のような本考案によるハロゲン・サイクル式白熱ランプをを構成できた。
【００１３】
ただし、前記耐熱透明管１をＵ字状または図１における一点鎖線のようにω字状に曲げるには、乾燥砂を入れた耐熱ガラス直管を加熱軟化させながら周知の手段でＵ字状（またはω字状）に曲げて冷却固化した後、管内から上記乾燥砂を排除することで、本考案による耐熱透明管１を得ることができる。
【００１４】
また、耐熱透明管１の管径中心に沿わせて前記フィラメント２を定位可能に配設するには、前記のようにＵ字状（またはω字状）に曲げた耐熱透明管１内に直線コイル状の発光フィラメント２を撓ませ曲げながら遊挿すると共に、上記フィラメント２に例えば前記図２のような二重固定リング状で磁性を有する位置決め線材３の内部リング３Ａを遊挿し、位置決め線材３を図１のようにフィラメント２の所望個所に耐熱透明管１の外部から磁石の磁力などで移動させた状態で、位置決め線材３の外側リング３Ｂの対向二か所を図２のように耐熱透明管１の内面に対し、透明管の部分加熱によるスポット溶着部ｙで図１・図２のように部分的に溶着することで、発光フィラメント２を上記位置決め線材３で図１のように耐熱透明管１の管径中心に沿わせて所望間隔毎に不動に配設できた。
【００１５】
本考案によるハロゲン・サイクル式白熱ランプは、以上のような構成であり、これを使用するには、前記発光フィラメント２に耐熱透明管１の両端ステム導出線１Ａを経て所定電流を流すことで、Ｕ字状（またはω字状）の発光フィラメント２を満遍なく強く発光させ得ると共に、その投射光を耐熱透明管１を経て四方八方に満遍なく投射できた。
【実施例】
【００１６】
本考案によるハロゲン・サイクル式白熱ランプは、前記実施形態以外に発光フィラメント２を内装した耐熱透明管１を図３のような一回り大きい透明な外側管球４内に配置すると共に、前記耐熱透明管１の両端ステム導出線１Ａを経て導出したフィラメント２の両側リード部２Ａをそれぞれ前記外側管球４に突設したねじ込み口金４Ａにリード片１ａで接続すれば、点灯時に高温になっている耐熱透明管１から手指などを保護できる。
【００１７】
さらに、前記耐熱透明管１の曲がり部分（Ｕターン部）１Ｂに設けた前記封止チップ１Ｃを図３のように前記外側管球４内に立設した耐熱スティ４Ｂで不動に支持することで、耐熱透明管１を外乱から保護できると共に、前記耐熱透明管１の両端ステム導出線１Ａ付近における前記外側管球４の弯凹内面（回転放物面）を光線反射面４Ｃとすれば、フィラメント２からの投射光をビーム状に収束でき、集魚灯などに用いて効率のよい投射光を得ることができ、また前記耐熱透明管の両端部分を補強スティ５で橋絡することで、耐熱透明管１のＵターン部１Ｂの折損事故を確実に防止できる。
【産業上の利用可能性】
【００１８】
本考案によるハロゲン・サイクル式白熱ランプは、前記外側管球４に突設したねじ込み口金４Ａを図４のように漁船６の電球用給電ソケット６Ａに螺着することで、集魚灯として立派に使用することもできる。
【図面の簡単な説明】
【００１９】
【図１】本考案の実施形態の一例を示す縦断立面図
【図２】図１の断線における拡大断面図
【図３】本考案の他の実施形態例を示す縦断立面図
【図４】図３に示すものを集魚灯に使用した説明図
【符号の説明】
【００２０】
１    耐熱透明管
１Ａ  ステム導出線
１Ｂ  曲がり部分
１Ｃ  封止チップ
２    発光フィラメント
２Ａ  リード部
３    位置決め線材
３Ａ  内部リング
３Ｂ  外側リング
４    外側管球
４Ａ  ねじ込み口金
４Ｂ  耐熱スティ
４Ｃ  光線反射面
５    補強スティ
【図１】
0003113159.tif 000003
【図２】
0003113159.tif 000004
【図３】
0003113159.tif 000005
【図４】
0003113159.tif 000006